(57)【要約】【課題】  画面上に表示する複数の波形に対して、特定の波形を強調表示させるために、他の波形の線の透明度を変化させたり、所望の波形の線を変化させることを周期で行うようにして視認性を高めた波形表示方法及び波形表示装置を提供する。【解決手段】  波形表示方法は、表示画面上に、複数の波形を同時に表示することができる波形表示方法であって、表示されている波形のうち、選択された波形以外の波形の透明度を変えて表示することであり、この透明度を変えての表示は、その透明度を変化させる周期を一定周期或いはランダムな周期或いは序々に長短にする周期で表示することである。【選択図】図１
2005114493.tif 000002
【特許請求の範囲】
【請求項１】
表示画面上に、複数の波形を同時に表示する波形表示方法であって、
前記表示されている波形のうち、選択された波形以外の波形の透明度を変えて表示することを特徴とする波形表示方法。
【請求項２】
表示画面上に複数種類の波形を同時に表示する波形表示方法であって、
前記表示されている波形のうち、選択された種類の波形以外の波形の透明度を変えて表示することを特徴とする波形表示方法。
【請求項３】
前記透明度を変えての表示は、その透明度を変化させる周期を一定周期或いはランダムな周期或いは序々に長短にする周期で表示することである請求項１又は２に記載の波形表示方法。
【請求項４】
前記透明度を変えての表示は、透明度の異なる箇所が順に移動するようにした表示である請求項１又は２に記載の波形表示方法。
【請求項５】
前記透明度を変えての表示は、予め用意されている複数種類の透明度を周期的に或いは不定期に順に変えての表示である請求項１又は２に記載の波形表示方法。
【請求項６】
表示画面上に、複数の波形を同時に表示する波形表示方法であって、
前記表示されている波形の中で、選択した波形の線幅を、一定周期的に或いは不定期に、太くして表示するようにしたことを特徴とする波形表示方法。
【請求項７】
表示画面上に複数種類の波形を同時に表示する波形表示方法であって、
前記表示されている波形のうち、選択した種類の波形の線幅を、一定周期的に或いは不定期に、他の種類の波形よりも太くして表示するようにしたことを特徴とする波形表示方法。
【請求項８】
前記選択した波形の線幅を太くしての表示は、予め用意されている複数種類の太さに周期的に或いは不定期に順に変えて表示することである請求項７に記載の波形表示方法。
【請求項９】
前記表示する波形の種類は、アナログ値の波形、デジタル値の波形、ディスクリート値の波形の少なくとも複数種類であることを特徴とする請求項７に記載の波形表示方法。
【請求項１０】
表示画面上に、複数の波形を同時に表示する表示手段と、
この表示手段により表示されている波形の中で、いずれかの波形を選択する波形選択手段と、
前記波形選択手段により選択された波形以外の波形の透明度を変えて表示する強調表示処理手段と、
を備えてなる波形表示装置。
【請求項１１】
表示画面上に、複数種類の波形を同時に表示する表示手段と、
この表示手段により表示されている波形の種類の中で、いずれかの種類を選択する波形選択手段と、
前記波形選択手段により選択された種類の波形以外の波形の透明度を変えて表示する強調表示処理手段と、
を備えてなる波形表示装置。
【請求項１２】
前記強調表示処理手段による透明度を変えての表示は、その透明度を変化させる周期を一定周期或いはランダムな周期或いは序々に長短にする周期で表示することである請求項１０又は１１に記載の波形表示装置。
【請求項１３】
前記強調表示処理手段による透明度を変えての表示は、透明度の異なる箇所が順に移動するようにした表示である請求項１０又は１１に記載の波形表示装置。
【請求項１４】
前記強調表示処理手段による透明度を変えての表示は、予め用意されている複数種類の透明度を周期的に或いは不定期に順に変えての表示である請求項１０又は１１に記載の波形表示装置。
【請求項１５】
表示画面上に、複数の波形を同時に表示する表示手段と、
この表示手段により表示されている波形の中で、いずれかの波形を選択する波形選択手段と、
この波形選択手段により選択した波形の線幅を、一定周期的に或いは不定期に、太くして表示する強調表示処理手段と、
を備えてなる波形表示装置。
【請求項１６】
表示画面上に、複数種類の波形を同時に表示する表示手段と、
この表示手段により表示されている波形の種類の中で、いずれかの種類を選択する波形選択手段と、
前記表示されている波形の中で、選択した波形の線幅を、一定周期的に或いは不定期に、太くして表示する強調表示処理手段と、
を備えてなる波形表示装置。
【請求項１７】
前記強調表示処理手段による選択した波形の線幅を太くしての表示は、予め用意されている複数種類の太さに周期的に或いは不定期に順に変えて表示することである請求項１５又は１６に記載の波形表示装置。
【請求項１８】
前記表示する波形の種類は、アナログ値の波形、デジタル値の波形、ディスクリート値の波形の少なくとも複数種類であることを特徴とする請求項１５又は１６に記載の波形表示装置。
【発明の詳細な説明】
【技術分野】
【０００１】
本発明は、波形表示方法及び波形表示装置に関し、詳しくは表示画面上に、ペン書きレコーダのペンによる記録波形に相当する複数の波形波形が表示されている場合に、着目したい波形を容易に且つ即座に認識できるようにした波形表示方法及び波形表示装置に関するものである。
【背景技術】
【０００２】
従来技術において、トレンド波形は横軸に時刻を、縦軸に温度や電圧等のアナログ量をとり、時間経過におけるアナログ量或いはデータの変化を曲線で或いは矩形波形状で表示する波形である。  このトレンド波形が複数存在する場合には、同一の表示画面上に複数のトレンド波形を同時に表示させる。
【０００３】
図８は、表示画面上に、ペン書きレコーダのペンによる記録波形に相当する４つのトレンド波形を表示させている様子を示した図であり、第１の波形１２は、縦軸がアナログ的に変化する、サインウェーブ形状のトレンド波形であり、第２の波形１３及び第３の波形１４はディスクリート値のトレンド波形であり、第４の波形１５はデジタル値のトレンド波形である。
【０００４】
このように、同一波形領域上に複数の波形が存在している場合に、特定の波形に着目したいときには、他の波形の表示も同時に目に入るため、所望の波形を読取りにくいという問題が存在している。
この問題を改善するために、特開平２０００−３５２５２８号公報がある。
この公報に開示されているものは波形の線の色、線の太さ、線の明るさ及び線の点滅の少なくとも１つを異ならせることにより、特定の波形を強調表示することで、波形を読取りやすくなるというものである。
【０００５】
【特許文献１】特開２０００−３５２５２８号公報
【発明の開示】
【発明が解決しようとする課題】
【０００６】
しかしながら、上記背景技術で示した特定の波形を強調表示させるものには次に示す問題点がある。
（１）色を変更することによる問題点
データと波形の色が紐付いている場合のように色自身が意味を持っている場合には、波形の色を変更することで、ユーザーが波形を読み取る際に誤認識を招く可能性があるため、色を変更することは好ましくない。
（２）線の太さを変更することによる問題点
波形の線の太さを変更することにより波形を強調する不都合が生じる場合がある。例えば、波形を太くしすぎると、正確なデータのプロット位置を読みづらい。逆に、波形を細くすると、波形を認識しづらくなる。又、強調する波形と強調しない波形の太さがあまり差がないと強調効果が薄れてしまうという問題がある。
（３）線を点滅させることによる問題点
線を点滅させて特定の曲線を強調した場合、線が消滅する時間が発生する。線が消滅している間、ユーザーは波形を読み取ることができないため、操作性が低下する。
【０００７】
従って、同一表示画面上に複数のトレンド波形が表示されている場合に、着目したいトレンド波形を容易に且つ即座に認識できるようにすることで、ユーザーの負担を軽減し操作性を向上させる波形表示方法に解決しなければならない課題を有する。
【課題を解決するための手段】
【０００８】
上記課題を解決するために、本発明の波形表示方法は、次に示す構成にすることである。
【０００９】
（１）表示画面上に、複数の波形を同時に表示する波形表示方法であって、
前記表示されている波形のうち、選択された波形以外の波形の透明度を変えて表示することを特徴とする波形表示方法。
【００１０】
（２）表示画面上に複数種類の波形を同時に表示する波形表示方法であって、
前記表示されている波形のうち、選択された種類の波形以外の波形の透明度を変えて表示することを特徴とする波形表示方法。
【００１１】
（３）前記透明度を変えての表示は、その透明度を変化させる周期を一定周期或いはランダムな周期或いは序々に長短にする周期で表示することである（１）又は（２）に記載の波形表示方法。
【００１２】
（４）前記透明度を変えての表示は、透明度の異なる箇所が順に移動するようにした表示である（１）又は（２）に記載の波形表示方法。
【００１３】
（５）前記透明度を変えての表示は、予め用意されている複数種類の透明度を周期的に或いは不定期に順に変えての表示である（１）又は（２）に記載の波形表示方法。
【００１４】
（６）表示画面上に、複数の波形を同時に表示する波形表示方法であって、
前記表示されている波形の中で、選択した波形の線幅を、一定周期的に或いは不定期に、太くして表示するようにしたことを特徴とする波形表示方法。
【００１５】
（７）表示画面上に複数種類の波形を同時に表示する波形表示方法であって、
前記表示されている波形のうち、選択した種類の波形の線幅を、一定周期的に或いは不定期に、他の種類の波形よりも太くして表示するようにしたことを特徴とする波形表示方法。
【００１６】
（８）前記選択した波形の線幅を太くしての表示は、予め用意されている複数種類の太さに周期的に或いは不定期に順に変えて表示することである（７）に記載の波形表示方法。
【００１７】
（９）前記表示する波形の種類は、アナログ値の波形、デジタル値の波形、ディスクリート値の波形の少なくとも複数種類であることを特徴とする（７）に記載の波形表示方法。
【００１８】
（１０）表示画面上に、複数の波形を同時に表示する表示手段と、
この表示手段により表示されている波形の中で、いずれかの波形を選択する波形選択手段と、
前記波形選択手段により選択された波形以外の波形の透明度を変えて表示する強調表示処理手段と、
を備えてなる波形表示装置。
【００１９】
（１１）表示画面上に、複数種類の波形を同時に表示する表示手段と、
この表示手段により表示されている波形の種類の中で、いずれかの種類を選択する波形選択手段と、
前記波形選択手段により選択された種類の波形以外の波形の透明度を変えて表示する強調表示処理手段と、
を備えてなる波形表示装置。
【００２０】
（１２）前記強調表示処理手段による透明度を変えての表示は、その透明度を変化させる周期を一定周期或いはランダムな周期或いは序々に長短にする周期で表示することである（１０）又は（１１）に記載の波形表示装置。
【００２１】
（１３）前記強調表示処理手段による透明度を変えての表示は、透明度の異なる箇所が順に移動するようにした表示である（１０）又は（１１）に記載の波形表示装置。
【００２２】
（１４）前記強調表示処理手段による透明度を変えての表示は、予め用意されている複数種類の透明度を周期的に或いは不定期に順に変えての表示である（１０）又は（１１）に記載の波形表示装置。
【００２３】
（１５）表示画面上に、複数の波形を同時に表示する表示手段と、
この表示手段により表示されている波形の中で、いずれかの波形を選択する波形選択手段と、
この波形選択手段により選択した波形の線幅を、一定周期的に或いは不定期に、太くして表示する強調表示処理手段と、
を備えてなる波形表示装置。
【００２４】
（１６）表示画面上に、複数種類の波形を同時に表示する表示手段と、
この表示手段により表示されている波形の種類の中で、いずれかの種類を選択する波形選択手段と、
前記表示されている波形の中で、選択した波形の線幅を、一定周期的に或いは不定期に、太くして表示する強調表示処理手段と、
を備えてなる波形表示装置。
【００２５】
（１７）前記強調表示処理手段による選択した波形の線幅を太くしての表示は、予め用意されている複数種類の太さに周期的に或いは不定期に順に変えて表示することである（１５）又は（１６）に記載の波形表示装置。
【００２６】
（１８）前記表示する波形の種類は、アナログ値の波形、デジタル値の波形、ディスクリート値の波形の少なくとも複数種類であることを特徴とする（１５）又は（１６）に記載の波形表示装置。
【発明の効果】
【００２７】
本発明の波形表示方法及び波形表示装置は、波形の透明度を変更して強調表示する手法であり、波形の色を変更しないで、データとその波形の色が紐付いているなど、波形の色自身が意味を持っている場合でも、ユーザーがデータとその波形及び波形の色との関係を誤認識することがない。
又、対象物の透明度を高くすることで、人間の視神経に対する刺激は低減し、対象物に対する視認性は低下する。そのため、透明度の低い波形と透明度の高い波形が混在した場合には、透明度の低い波形（視神経への刺激が強い対象物）に対して注意が集中し、透明度の低い波形の視認性が向上する。
【００２８】
一方、色の違いによって視神経への刺激が多少異なるが、異なる色でも透明度であれば視神経への刺激はさほど変わらないため、強調したい波形の透明度を低くすると共に、強調しない波形の透明度を高くすることは単に色を変化させるよりも強調効果が高い。
更に、波形の線の太さを複数種類用意して順に表示することによるアニメーション効果では、点滅による強調表現と比較して、人間の視神経に対する刺激は同等であるから、強調効果は薄れることなく、ユーザーは常にデータを読み取ることが可能になる。
【発明を実施するための最良の形態】
【００２９】
以下、本発明に係る波形表示方法及び波形表示装置の最良の実施形態について、図面を参照して説明する。
【実施例１】
【００３０】
本願発明の第１の実施形態の波形表示方法を具現化できる波形表示装置は、図１に示すように、表示画面１１上に、複数のトレンド波形を同時に表示する表示手段である表示部１と、この表示部１に表示されているトレンド波形を選択する波形選択手段であるトレンド波形選択部２と、トレンド波形選択部２で選択されたトレンド波形以外のトレンド波形の線の色を変えないで透明度を変えて表示する強調表示処理手段である強調表示処理部３と、を備えた構成になっている。
このような構成からなる波形表示装置において、先ず、複数のトレンド波形を画面上に表示させ、その表示させたトレンド波形のなかから所望のトレンド波形を選択することで、表示されている選択されなかったトレンド波形の線の色を変えないで透明度を変えて表示できる。
【００３１】
図２は、表示画面１１上に透明度を変化させたトレンド波形を表示したものを示したものであり、今、３種類の波形のトレンド波形を同時に表示画面１１上に表示したものであるときに、第１の波形１２ａ及び第２の波形１３ａは、ディスクリート値のトレンド波形であり、第３の波形１４ａはサインウェーブのアナログ値を表現するトレンド波形である。
【００３２】
このような３つのトレンド波形の第１〜第３の波形１２ａ、１３ａ、１４ａは、表示画面１１上に同時に表示できるようになっており、この中で、所望のトレンド波形、実施例の場合、矩形波形状になったディスクリート値の第１及び第２の波形１２ａ、１３ａの透明度を高くして、アナログ値の第３の波形１４ａを強調表示する。このようにすることで、タイミングを表す矩形波形状のタイミングパルス信号の第１及び第３の波形１２ａ、１３ａの透明度を高くして見ずらくすることで、通常表示のアナログ信号の第３の波形１４ａの表示を強調表示できるようになり、視認性を高めることができる。
【実施例２】
【００３３】
次に、本願発明に係る波形表示方法の第２の実施形態について、図面を参照して説明する。尚、構成は、先の実施例１で説明した、図１に示す波形表示装置と同じであるため、その構成の説明は省略する。
【００３４】
図３及び図４に示す実施例は、特定のトレンド波形の波形色の透明度が異なるときには、強調表示をしないようにし、トレンド波形の波形色の透明度が全て同じであるときに強調表示をするようにしたものである。
具体的には、同じデジタル値の信号のトレンド波形の透明度を高くすることで、複数のアナログ値のトレンド波形の関係を見やすくしたものである。
トレンド波形は、ディスクリート値の第１の波形１２ｂ、デジタル値の第２の波形１３ｂ、アナログ値の第３の波形１４ｂ及び第４の波形１５ｂとからなる。
【００３５】
これらの第１〜第４の波形１２ｂ、１３ｂ、１４ｂ、１５ｂのトレンド波形は、表示画面上に同時に表示されており、その線の太さ及び透明度は同じである。このときに、所望のトレンド波形、実施例においてアナログ値を表す第３及び第４の波形１４ｂ、１５ｂを強調表示させるために、デジタル値の第１及び第２の波形１２ｂ、１３ｂの透明度を高くする。
このようにすることで、アナログ値同士の第３及び第４の波形１４ｂ、１５ｂの視認性を高められ、相対関係が明りょうになると共にディスクリート値の第２の波形１２ｂとデジタル値の第２の波形１３ｂとの関係を比較するバランスが良くなり、表示画面に表示されているトレンド波形全体としての表示が極めて見易くなる。
【実施例３】
【００３６】
次に、本願発明に係る波形表示方法の第３の実施形態について、図面を参照して説明する。
尚、構成は、先の実施例１で説明した、図１に示す波形表示装置と同じであるが、強調表示処理部３においては、表示されているトレンド波形の線の太さが同じであるときに、トレンド波形選択部２で選択したトレンド波形の線幅を、一定周期的に或いは不定期に、太くして表示するように機能する。
【００３７】
図５及び図６に示す実施例は、表示画面上に表示されている複数のトレンド波形のうち、特定のトレンド波形のアニメーション、実施例では線幅の太さが他のトレンド波形の線幅よりも太くなっているときには、強調表示はしないようにし、表示されているトレンド波形の全てのアニメーション、実施例では線幅の太さがみな同じであるときには特定のトレンド波形の線幅を太くして強調表示するというものである。
この強調したいトレンド波形の線の太さを一定周期的に或いは不定期に太くして表示するというものである。
【００３８】
先ず、表示画面に表示されているトレンド波形が４種類のトレンド波形であるときに、同じデータ形態であるアナログ値で表示されているトレンド波形の線の太さを一定周期で太くし、又、元に戻すことで、強調表示させる。
この４種類のトレンド波形は、ディスクリート値の第１の波形１２ｃと、デジタル値の第２の波形１３ｃ及び第３の波形１４ｃ、アナログ値の第４の波形１５ｃとからなる。
【００３９】
これらの第１〜第４の波形１２ｃ、１３ｃ、１４ｃ、１５ｃのトレンド波形は、表示画面上に同時に表示されており、その線の太さ及び透明度は同じである。このときに、所望のトレンド波形、実施例においてアナログ値を表す第３及び第４の波形１４ｃ、１５ｃを強調表示させるために、アナログ値の第３及び第４の波形１４ｃ、１５ｃの線の太さを一定周期で切替えることで、アナログ値で形成された第３及び第４の波形１４ｃ、１５ｃのトレンド波形の線が太くなり、又、元に戻るというアニメーションになり、所望のアナログ値同士の第３及び第４の波形１４ｃ、１５ｃの視認性を高めることができる。これは、相対関係が明りょうになると共にデジタル値の第１及び第２の波形１２ｃ、１３ｃとの関係を比較するバランスが良くなり、表示画面に表示されているトレンド波形全体としての表示が極めて見易くなる。
又、この線幅を太くするアニメーションは、予め用意されている複数種類の太さに周期的に或いは不定期に順に変えて表示するようにしてもよい。
【実施例４】
【００４０】
次に、本願発明に係る波形表示方法の第４の実施形態について、図面を参照して説明する。
尚、構成は、先の実施例１で説明した、図１に示す波形表示装置と同じであり、強調表示処理部３で透明度を変えるトレンド波形に対して一定周期或いは不定期で透明度を切り替えるように制御するというものである。
【００４１】
図７に示すものは、強調したいトレンド波形の線の透明度を一定周期的に或いは不定期で切替えるというもので、先ず、表示画面に表示されているトレンド波形が４種類のトレンド波形であるときに、同じデータ形態であるディジタル値で表示されているトレンド波形の線の透明度を一定周期で切替えることで、強調表示させる。
この４種類のトレンド波形は、ディスクリート値の第１の波形１２ｄと、デジタル値の第２の波形１３ｄ及び第３の波形１４ｄ、アナログ値の第４の波形１５ｄとからなる。
【００４２】
これらの第１〜第４の波形１２ｄ、１３ｄ、１４ｄ、１５ｄのトレンド波形は、表示画面上に同時に表示されており、その線の太さ及び透明度は同じである。このときに、所望のトレンド波形、実施例においてアナログ値を表す第３及び第４の波形１４ｄ、１５ｄを強調表示させるために、ディスクリート値の第１の波形１２ｄ、デジタル値の第２の波形１３ｄの透明度を一定周期で切替えることで、アナログ値で形成された第３及び第４の波形１４ｄ、１５ｄを強調表示させる。
【００４３】
このように、目的とするトレンド波形（第３及び第４の波形１４ｄ、１５ｄ）はそのままにし、他のトレンド波形（第１及び第２の波形１２ｄ、１３ｄ）の透明度を一定周期或いは不定期に高めることで、所望のアナログ値同士の第３及び第４の波形１４ｄ、１５ｄの視認性を高めることができる。これは、相対関係が明りょうになると共にデジタル値の第１及び第２の波形１２ｄ、１３ｄとの関係を比較するバランスが良くなり、表示画面に表示されているトレンド波形全体としての表示が極めて見易くなる。
又、透明度は、透明度の異なる箇所が順に移動するようにした表示でもよく、或いは予め用意されている複数種類の透明度を周期的に或いは不定期に順に変えての表示でもよい。
【００４４】
なお、実施例では表示する波形波形の種類として、アナログ値、デジタル値、ディスクリート値がある。波形波形の種類を選択し、選択した種類の波形波形を強調表示してもよい。例えば、アナログ値だけを強調表示、デジタル値だけを強調表示、ディスクリート値だけを強調表示するようにしてもよい。強調表示のしかたは前述したように波形の透明度を変えたり、波形の線幅を変えることによって行う。
表示する波形波形の種類は、アナログ値、デジタル値、ディスクリート値以外でもよい。
【００４５】
以上説明したトレンド波形は、時間軸に対するデータ軸のトレンドを表示する装置として説明したが、時間軸やデータ軸以外をパラメータとする波形表示にも本発明を適用することが可能である。
【産業上の利用可能性】
【００４６】
表示画面上に表示する複数の波形に対して、選択した波形以外の波形の線の透明度を高くして表示させるようにしたり、或いは線幅を所定周期毎に変えるといったアニメーションを施すようにすることで、所望の波形との対比が鮮明になり、所望の波形の視認性を高めた表示方法が提供できる。
【図面の簡単な説明】
【００４７】
【図１】本発明に係る波形表示装置の構成を略示的に示したブロック図である。
【図２】本願発明に係る第１の実施形態のトレンド波形を表示した状態を示した説明図である。
【図３】本願発明に係る第２の実施形態のトレンド波形を強調表示するための流れを示した状態遷移図である。
【図４】同、トレンド波形を強調表示した状態を示した説明図である。
【図５】本願発明に係る第３の実施形態のトレンド波形を強調表示するための流れを示した状態遷移図である。
【図６】同、トレンド波形を強調表示した状態を示した説明図である。
【図７】本願発明に係る第４の実施形態のトレンド波形を強調表示した状態を示した説明図である。
【図８】従来技術におけるトレンド波形を表示した状態を示した説明図である。
【符号の説明】
【００４８】
１        表示部
２        波形選択手段
３        強調表示処理手段
１１      表示画面
１２ａ〜１２ｄ    第１の波形
１３ａ〜１３ｄ    第２の波形
１４ａ〜１４ｄ    第３の波形
１５ｂ〜１５ｄ    第４の波形
【図１】
2005114493.tif 000003
【図２】
2005114493.tif 000004
【図３】
2005114493.tif 000005
【図４】
2005114493.tif 000006
【図５】
2005114493.tif 000007
【図６】
2005114493.tif 000008
【図７】
2005114493.tif 000009
【図８】
2005114493.tif 000010